(57)【要約】【課題】広告の審査を従来より短時間で行うことができるプログラム等を提供することにある。【解決手段】プログラム１２Ｐは広告の審査に用いる画像のフォーマットが所定のフォーマットであるか否かを判定し、前記画像のフォーマットが前記所定のフォーマットでないと判定した場合、前記画像のフォーマットを前記所定のフォーマットに変換する処理を情報処理装置に実行させる。また情報処理装置１は、広告の審査に用いる画像のフォーマットが所定のフォーマットであるか否かを判定する判定部と、該判定部で前記画像のフォーマットが所定のフォーマットでないと判定した場合、前記画像のフォーマットを所定のフォーマットに変換する変換部とを備える。【選択図】図２
2017151909.tif 000002
【特許請求の範囲】
【請求項１】
広告の審査に用いる画像のフォーマットが所定のフォーマットであるか否かを判定し、
前記画像のフォーマットが前記所定のフォーマットでないと判定した場合、前記画像のフォーマットを前記所定のフォーマットに変換する
処理を情報処理装置に実行させるプログラム。
【請求項２】
変換した画像に基づいて開始又は終了付近にフレームを追加した動画を生成する
請求項１に記載のプログラム。
【請求項３】
前記画像は静止画及び動画であり、
変換した静止画及び動画に基づいて一の動画を生成する
請求項１又は請求項２に記載のプログラム。
【請求項４】
変換した画像のフレームレートが所定のフレームレートより高いか否かを判定し、
変換した画像のフレームレートが所定のフレームレートより高いと判定した場合、前記画像のフレームレートを所定のフレームレートに変換する
請求項１から請求項３のいずれか１つに記載のプログラム。
【請求項５】
広告の審査に用いる画像のフォーマットが所定のフォーマットであるか否かを判定する判定部と、
該判定部で前記画像のフォーマットが所定のフォーマットでないと判定した場合、前記画像のフォーマットを所定のフォーマットに変換する変換部と
を備える情報処理装置。
【請求項６】
広告の審査に用いる画像のフォーマットが所定のフォーマットであるか否かを判定し、
前記画像のフォーマットが所定のフォーマットでないと判定した場合、前記画像のフォーマットを所定のフォーマットに変換する
情報処理装置を用いた情報処理方法。
【発明の詳細な説明】
【技術分野】
【０００１】
本発明は、駅構内のサイネージ等の表示装置に表示する広告の画像に関するプログラム等に関する。
【背景技術】
【０００２】
従来、広告媒体を表示装置に表示する権限を有する媒体社により広告の画像が表示装置に掲載されることがふさわしいか否かが審査されている。しかし、広告の画像は複数の広告代理店から取得するため、広告の画像の審査が煩雑となっていた。このため、近年では広告の画像の審査を支援するプログラムが開発されている。
【０００３】
例えば特許文献１には、表示装置に表示される広告の画像をユーザの端末から取得し、取得した広告の画像の表示を承認するか否かを受け付け、受け付けた承認の有無に基づいて審査結果をサーバに記憶する技術が知られている。
【先行技術文献】
【特許文献】
【０００４】
【特許文献１】特許第５８２４３３６号公報
【発明の概要】
【発明が解決しようとする課題】
【０００５】
ところで表示装置に表示する動画には所定のフォーマットが存在する。また表示装置は時分割により複数の広告を表示可能であるため、多数の入稿データを受け付ける場合が多い。このため、媒体社から表示装置の運用を委託される広告代理店は端末から取得した多数の画像のフォーマットを所定のフォーマットに変換する必要があった。しかし、特許文献１に開示された技術では、所定のフォーマットに適合しない画像を端末から取得した場合、手作業で所定のフォーマットに変換していたため、審査に長時間を要するという問題があった。
【０００６】
一つの側面では、広告の審査を従来より短時間で行うことができるプログラム等を提供することにある。
【課題を解決するための手段】
【０００７】
一態様のプログラムは、広告の審査に用いる画像のフォーマットが所定のフォーマットであるか否かを判定し、前記画像のフォーマットが前記所定のフォーマットでないと判定した場合、前記画像のフォーマットを前記所定のフォーマットに変換する処理を情報処理装置に実行させる。
【発明の効果】
【０００８】
一側面によれば、広告の審査を従来より短時間で行うことができる。
【図面の簡単な説明】
【０００９】
【図１】情報処理システムの概要を示す模式図である。
【図２】情報処理装置、端末装置及び審査用サーバのハードウェア群を示すブロック図である。
【図３】変換前の動画の情報が記憶された変換前動画情報ＤＢに格納されているデータの一例を示す図である。
【図４】変換後の動画の情報が記憶された変換後動画情報ＤＢに格納されているデータの一例を示す図である。
【図５】広告枠の申し込み状況を記憶した申込情報ＤＢに格納されているデータの一例を示す図である。
【図６】動画の審査結果が記憶された審査結果ＤＢに格納されているデータの一例を示す図である。
【図７】事前審査の状況を確認するための事前審査確認画面を示す説明図である。
【図８】画像を登録するための登録画面を示す説明図である。
【図９】事前審査を依頼するための審査依頼画面を示す説明図である。
【図１０】事前審査を行うための事前審査画面を示す説明図である。
【図１１】本審査の状況を確認するための本審査確認画面を示す説明図である。
【図１２】本審査への申し込みを受け付ける申込画面を示す説明図である。
【図１３】動画の入力を受け付けるための入力画面を示す説明図である。
【図１４】本審査を行うための本審査画面を示す説明図である。
【図１５】事前審査及び本審査における情報処理システムの処理手順を示したフローチャートである。
【図１６】事前審査及び本審査における情報処理システムの処理手順を示したフローチャートである。
【図１７】事前審査及び本審査における情報処理システムの処理手順を示したフローチャートである。
【図１８】情報処理装置、端末装置及び審査用サーバのハードウェア群を示すブロック図である。
【図１９】変換前の静止画の情報が記憶された変換前静止画情報ＤＢに格納されているデータの一例を示す図である。
【図２０】変換後の静止画の情報が記憶された変換後静止画情報ＤＢに格納されているデータの一例を示す図である。
【図２１】本実施形態における情報処理システムの処理手順を示したフローチャートである。
【図２２】情報処理装置、端末装置及び審査用サーバのハードウェア群を示すブロック図である。
【図２３】結合動画を生成するために変換した静止画及び動画が記憶された変換後静止画動画情報ＤＢに格納されているデータの一例を示す図である。
【図２４】結合動画を記憶するための結合動画情報ＤＢに格納されているデータの一例を示す図である。
【図２５】結合動画のテンプレートを説明する説明図である。
【図２６】本実施形態における情報処理システムの処理手順を示したフローチャートである。
【発明を実施するための形態】
【００１０】
実施の形態１
以下本実施の形態を、図面を参照して説明する。図１は情報処理システムの概要を示す模式図である。図１に示す情報処理システムは、情報処理装置１と、端末装置２Ａ、２Ｂ、２Ｃ…（以下、場合により代表して端末装置２とする）と、審査用サーバ３とを備える。情報処理装置１、端末装置２及び審査用サーバ３はインターネット、ＬＡＮ(Local Area Network)または携帯電話網等の通信網Ｎにより相互に接続されている。
【００１１】
以下では情報処理システムの概要を説明する。端末装置２は広告の画像の入力を受け付けるための装置であり、例えばパーソナルコンピュータ又はサーバコンピュータ等である。画像とは例えば動画又は静止画等である。なお、本実施形態における画像は動画であるとして説明する。端末装置２はユーザから広告の画像の入力を受け付ける。端末装置２は受け付けた画像を情報処理装置１へ出力する。
【００１２】
情報処理装置１は画像のフォーマットを変換する装置であり、例えばパーソナルコンピュータ又はサーバコンピュータ等である。フォーマットは例えば、画像を構成するためのファイルの情報であり、ファイル名、圧縮方式、動画ビットレート、フレームレート、解像度、音声形式、音声ビットレート、周波数、再生方式、長さ、サイズ、カラーモード、容量及び表示秒数等である。フォーマットの詳細は後述する。情報処理装置１は画像を取得し、取得した画像を所定のフォーマットへ変換する。
【００１３】
情報処理装置１は変換した画像の開始又は終了付近にフレームを追加した動画を生成する。フレームとは例えば任意の画像又は動画部分を延長した画像等である。動画にフレームを追加する理由は以下の通りである。駅構内のサイネージ等の表示装置に動画を表示する場合、動画の起動に時間がかかることで動画の開始時と終了時に動画の無い画面が表示されてしまうときがある。このような動画の無い画面の表示を防止するために、動画が終了する前にフレーム部分を追加した次の動画を予め起動しておき、動画の終了直後にフレーム部分の再生を終了した次の動画に切り替えを行う。情報処理装置１は生成した動画を審査用サーバ３へ出力する。審査用サーバ３は情報処理装置１から動画を取得する。
【００１４】
審査用サーバ３は取得した動画の審査を行うためのサーバであり、例えばサーバコンピュータ等である。審査用サーバ３は取得した動画を表示する。審査用サーバ３は媒体社のユーザから動画が審査基準に適合しているか否かを示す審査結果の入力を受け付ける。審査用サーバ３は審査結果を情報処理装置１を介して端末装置２へ出力する。端末装置２は審査結果を表示する。
【００１５】
以下、情報処理システムの詳細を説明する。図２は情報処理装置１、端末装置２及び審査用サーバ３のハードウェア群を示すブロック図である。図２に示す情報処理装置１は、ＣＰＵ(Central Processing Unit)１１、記憶部１２、ＲＡＭ１３、入力部１４、表示部１５及び通信部１６を備える。
【００１６】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１７】
記憶部１２は例えばハードディスクまたは大容量メモリ等である。記憶部１２にはＣＰＵ１１が処理を行う際に必要とする種々のデータ、変換前動画情報ＤＢ１２１及び変換後動画情報ＤＢ１２２、申込情報ＤＢ１２３、審査結果ＤＢ１２４及びプログラム１２Ｐを格納する。
【００１８】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００１９】
入力部１４はボタン等の入力デバイスであり、受け付けた操作情報をＣＰＵ１１へ送信する。表示部１５はＣＰＵ１１から送信された画像データを表示する。表示部１５は例えば液晶画面である。通信部１６は、例えば無線ＬＡＮカード又は携帯電話用通信モジュール等であり、通信網Ｎを介して各種情報を端末装置２及び審査用サーバ３との間で送受信する。
【００２０】
図２に示す端末装置２は、ＣＰＵ２１、記憶部２２、ＲＡＭ２３、入力部２４、表示部２５及び通信部２６を備える。端末装置２のＣＰＵ２１、ＲＡＭ２３、入力部２４及び表示部２５の構成は、情報処理装置１のＣＰＵ１１、ＲＡＭ１３及び入力部１４及び表示部１５の構成と同様であるため、簡潔のため記載を省略する。記憶部２２は例えばハードディスクまたは大容量メモリ等である。記憶部２２にはＣＰＵ２１が処理を行う際に必要とする種々のデータ及びプログラム２２Ｐを格納する。通信部２６は、例えば無線ＬＡＮカード又は携帯電話用通信モジュール等であり、通信網Ｎを介して各種情報を情報処理装置１との間で送受信する。
【００２１】
図２に示す審査用サーバ３は、ＣＰＵ３１、記憶部３２、ＲＡＭ３３、入力部３４、表示部３５及び通信部３６を備える。審査用サーバ３のＣＰＵ３１、記憶部３２、ＲＡＭ３３、入力部３４及び表示部３５の構成は、端末装置２のＣＰＵ２１、記憶部２２、ＲＡＭ２３、入力部２４及び表示部２５の構成と同様であるため、簡潔のため記載を省略する。通信部２６は、例えば無線ＬＡＮカード又は携帯電話用通信モジュール等であり、通信網Ｎを介して各種情報を情報処理装置１との間で送受信する。
【００２２】
図３は変換前の動画の情報が記憶された変換前動画情報ＤＢ１２１に格納されているデータの一例を示す図である。変換前動画情報ＤＢ１２１は動画ＩＤ列、ファイル名列、圧縮方式列、動画ビットレート列、フレームレート列、解像度列、音声列、音声ビットレート列、周波数列、再生方式列及び長さ列を備える。
【００２３】
動画ＩＤ列には動画を識別するための動画ＩＤが記憶される。ファイル名列には動画のファイル名が記憶される。圧縮方式列には動画の圧縮方式が記憶される。圧縮方式列には例えば、ＣＢＲ（ｃｏｎｓｔａｎｔ  ｂｉｔｒａｔｅ）又はＶＢＲ（Ｖａｒｉａｂｌｅ  Ｂｉｔ  Ｒａｔｅ）が記憶される。動画ビットレート列には動画のビットレートが記憶される。動画ビットレート列の単位はＭｂｐｓ（ｍｅｇａｂｉｔｓ  ｐｅｒ  ｓｅｃｏｎｄ）である。フレームレート列には動画のフレームレートが記憶される。フレームレート列の単位はｆｐｓ（ｆｒａｍｅｓ  ｐｅｒ  ｓｅｃｏｎｄ）である。解像度列には動画の解像度が記憶される。解像度列の単位はピクセルである。音声列には動画の音声形式が記憶される。音声列には例えばＷＭＡ（Ｗｉｎｄｏｗｓ  Ｍｅｄｉａ  Ａｕｄｉｏ：登録商標）又はＡＡＣ（Ａｄｖａｎｃｅｄ  Ａｕｄｉｏ  Ｃｏｄｉｎｇ：登録商標）等が記憶される。
【００２４】
音声ビットレート列には音声のビットレートが記憶される。音声ビットレート列の単位はｋｂｐｓ（ｋｉｌｏｂｉｔｓ  ｐｅｒ  ｓｅｃｏｎｄ）である。周波数列には動画の周波数が記憶される。周波数列の単位はｋＨｚである。再生方式列には音声の再生方式が記憶される。再生方式列には例えば、ステレオ又はモノラルが記憶される。長さ列には動画の長さが記憶される。長さ列の単位は秒である。
【００２５】
変換前動画情報ＤＢ１２１の記憶方法は以下の通りである。ＣＰＵ２１は後述する登録画面５又は入力画面１０で動画の入力を受け付ける。ＣＰＵ２１は受け付けた動画を情報処理装置１へ出力する。ＣＰＵ１１は動画を端末装置３から取得する。ＣＰＵ１１は動画に対応する動画ＩＤ、ファイル名及び動画のフォーマットを変換前動画情報ＤＢ１２１に記憶する。
【００２６】
図４は変換後の動画の情報が記憶された変換後動画情報ＤＢ１２２に格納されているデータの一例を示す図である。例えば、動画ビットレート列の１行目には４Ｍｂｐｓが記憶されている。これは変換前動画情報ＤＢ１２１の１行目の２Ｍｂｐｓを所定のフォーマットである４Ｍｂｐｓに変換した値である。変換後動画情報ＤＢ１２２の記憶方法については後述する。
【００２７】
図５は広告枠の申し込み状況を記憶した申込情報ＤＢ１２３に格納されているデータの一例を示す図である。申込情報ＤＢ１２３は代理店名列、動画ＩＤ列、お申込み期間列、枠数列、広告主名列及び広告内容列を備える。代理店名列には代理店の名称が記憶される。動画ＩＤ列には動画を識別するための動画ＩＤが記憶される。お申込み期間列には動画の配信期間を示すお申込み期間が記憶される。お申込み期間列には例えば、動画の入力を受け付けることができる年月日が記憶される。枠数列には広告枠の数が記憶される。広告主名列には広告主の名称が記憶される。広告内容列には動画内の広告の内容が記憶される。
【００２８】
申込情報ＤＢ１２３の記憶方法は以下の通りである。申込期間及び枠数は各代理店が確保した申込期間及び枠数を予め記憶してある。ＣＰＵ１１は申込期間及び枠数お申込み情報ＤＢ１２３に記憶する。ＣＰＵ２１はユーザから予め入力部２４で代理店名の入力を受け付ける。またＣＰＵ２１は後述する登録画面５でファイル名、広告主名及び広告内容の入力を受け付ける。ＣＰＵ２１は受け付けた代理店名とともにファイル名、広告主名及び広告内容を情報処理装置１へ出力する。ＣＰＵ２１は代理店名、ファイル名、広告主名及び広告内容を端末装置３から取得する。ＣＰＵ１１はファイル名に対応する動画ＩＤを生成する。ＣＰＵ１１は代理店名、枠数、動画ＩＤ、広告主名及び広告内容を代理店情報ＤＢ１２に記憶する。審査結果列の記憶方法については後述する。
【００２９】
図６は動画の審査結果が記憶された審査結果ＤＢ１２４に格納されているデータの一例を示す図である。審査結果ＤＢ１２４は審査ＩＤ列、動画ＩＤ列、事前審査列及び本審査列を備える。審査は広告主が広告する商品又はサービス等の概要を審査する事前審査と、実際に配信する広告を審査する本審査に分かれている。事前審査を通過した広告主が広告する商品又はサービスについての複数の動画全てが審査基準に適合しているか否かについて本審査で審査する。
【００３０】
審査ＩＤ列には本審査を識別するための審査ＩＤが記憶される。動画ＩＤ列には動画を識別するための動画ＩＤが記憶される。事前審査列には事前審査の審査基準に動画が適合しているか否かを示す事前審査結果が記憶される。事前審査列には例えば、合格又は失格等が記憶される。合格とは審査基準に適合していることを示す。失格とは審査基準に適合していないことを示す。本審査列には本審査の審査基準に動画が適合しているか否かを示す本審査結果が記憶される。なお、本実施形態では事前審査結果及び本審査結果を含む概念として審査結果を用いる。本審査列には例えば、合格又は失格等が記憶される。審査結果ＤＢ１２４の記憶方法は後述する。
【００３１】
以下、本実施形態における情報処理システムの動作について説明する。図７は事前審査の状況を確認するための事前審査確認画面４を示す説明図である。事前審査確認画面４は左上に設けられた切り替えタブ４０と、左部に設けられたＩＤ欄４１と、ＩＤ欄４１の右部に設けられたステータス欄４２と、ステータス欄４２の右部に設けられたファイル名欄４３と、ファイル名欄４３の右部に設けられた代理店名欄４４と、ＩＤ欄４１及びステータス欄４２の上部に設けられた登録ボタン４５とを備える。切り替えタブ４０は事前審査確認画面４又は後述する入稿画面８等に切り替えるためのタブである。切り替えタブ４０には、例えば、お知らせ、事前審査、お申込み、入稿又は配信設定等が表示される。ＩＤ欄４１は画像を識別するためのＩＤを表示するための欄である。ステータス欄４２とは画像の審査状況を表示するための欄である。ファイル名欄４３とは画像の名称を記憶する欄である。代理店名欄４４は代理店の名称を表示するための欄である。登録ボタン４５は画像を登録するボタンである。
【００３２】
ユーザが切り替えタブ４０で事前審査を入力部２４で選択した場合、ＣＰＵ２１は事前審査確認画面４の生成指示を通信部２６から情報処理装置１へ出力する。ＣＰＵ１１は通信部１６で生成指示を取得した後、以下の方法で事前審査確認画面４を生成する。ＣＰＵ１１は審査結果ＤＢ１２４を参照する。ＣＰＵ１１は例えばＩＤ欄４１の２列に動画ＩＤ「Ｍ２」を生成する。図６に示す審査結果ＤＢ１２４の事前審査列の２列が合格であるため、ＣＰＵ１１はステータス欄４２の２列に事前審査ＯＫを生成する。また審査結果ＤＢ１２４の事前審査列の３列が合格であるため、ＣＰＵ１１はステータス欄４２の３列に事前審査ＯＫを生成する。ＩＤ欄４１、ステータス欄４２の１列については後述する。ＣＰＵ１１は動画ＩＤ「Ｍ４」に対応するファイル名「ｄ２．ｍｐｇ」をファイル名欄４３の２列に生成する。ＣＰＵ１１は動画ＩＤ「Ｍ５」に対応するファイル名「ｅ２．ｍｐｇ」をファイル名欄４３の３列に生成する。
【００３３】
ＣＰＵ１１は図５に示す申込情報ＤＢ１２３を参照する。ＣＰＵ１１は代理店名欄４４の２列に動画ＩＤ「Ｍ４」に対応する「Ｂ広告代理店」を生成する。ＣＰＵ１１は代理店名欄４４の３列に動画ＩＤ「Ｍ５」に対応する「Ｃ広告代理店」を生成する。代理店名欄４４の１列については後述する。ＣＰＵ１１は生成した事前審査確認画面４を通信部１６で端末装置２へ出力する。ＣＰＵ２１は事前審査確認画面４を通信部２６で端末装置２から取得し、表示部２５に表示する。
【００３４】
ユーザが登録ボタン４５を入力部２４で選択した場合、ＣＰＵ２１は登録画面５を表示部２５に表示する。
【００３５】
図８は画像を登録するための登録画面５を示す説明図である。登録画面５は左上に設けられた切り替えタブ５０と、上部に設けられた広告主名欄５１と、広告主名欄５１の下部に設けられた広告内容欄５２と、広告内容欄５２の下部に設けられた選択欄５３Ａ、５３Ｂ、５３Ｃ…（以下、場合により代表して選択欄５３とする）と、下部に設けられた確認ボタン５４とを備える。切り替えタブ５０は登録する画像の種類を切り替えるタブである。広告主名欄５１は広告主の名称を表示するための欄である。広告内容欄５２は広告の内容を表示するための欄である。選択欄５３は画像の選択を受け付けるための欄である。確認ボタン５４は各情報を情報処理装置１へ出力することを確認するためのボタンである。
【００３６】
例えば、静止画を選択した場合、静止画を登録する登録画面５に切り替える。また動画を選択した場合、動画を登録する登録画面５に切り替える。本実施形態では動画を登録する登録画面５の動作について説明する。
【００３７】
ＣＰＵ２１は、ユーザから入力部２４で広告主欄５１に広告主「○○○飲料メーカー」の入力を受け付ける。ＣＰＵ２１はユーザから入力部２４で広告内容欄５２に「新製品の発表キャンペーン」の入力を受け付ける。ＣＰＵ２１はユーザから選択欄５３でファイル名「ａ１．ｗｍｖ」の選択を受け付ける。ＣＰＵ２１はユーザから入力部２４で確認ボタン５４の入力を受け付ける。ＣＰＵ２１は審査依頼画面６を表示部２５に表示する。
【００３８】
図９は事前審査を依頼するための審査依頼画面６を示す説明図である。審査依頼画面６は中央左部に設けられた画像欄６１と、画像欄６１の右部に設けられた長さ欄６２と、下部に設けられた依頼ボタン６３とを備える。画像欄６１は画像の一例を表示するための欄である。長さ欄６２は動画の長さを説明するための欄である。依頼ボタン６３は画像を情報処理装置１へ出力するためのボタンである。
【００３９】
ＣＰＵ２１はファイルを読み込み、画像欄６１に登録画面５で受け付けたファイル名「ａ１．ｗｍｖ」の動画の一シーンを生成する。ＣＰＵ２１はファイルの長さ「１５秒」を長さ欄６２に生成する。ＣＰＵ２１は生成した審査依頼画面６を表示部２５に表示する。ＣＰＵ２１はユーザから入力部２４で依頼ボタン６３の入力を受け付ける。ＣＰＵ２１は登録画面５で受け付けたファイル名「ａ１．ｗｍｖ」、「Ａ広告代理店」、広告主「○○○飲料メーカー」、「新製品の発表キャンペーン」等を情報処理装置１へ通信部２６から出力する。ＣＰＵ１１はファイル名「ａ１．ｗｍｖ」、「Ａ広告代理店」、広告主「○○○飲料メーカー」、「新製品の発表キャンペーン」等の情報を通信部１６で端末装置２から取得する。
【００４０】
ＣＰＵ１１は広告主「○○○飲料メーカー」及び「新製品の発表キャンペーン」を「Ａ広告代理店」に対応づけて申込情報ＤＢ１２３に記憶する。ＣＰＵ１１はファイル名「ａ１．ｗｍｖ」に対応づけて動画ＩＤ「Ｍ１」を生成し、動画ＩＤ「Ｍ１」及びファイル名「ａ１．ｗｍｖ」のフォーマットを変換前動画情報ＤＢ１２１に記憶する。さらにＣＰＵ１１は動画ＩＤ「Ｍ１」を「Ａ広告代理店」に対応づけて申込情報ＤＢ１２３に記憶する。
【００４１】
以下では動画の変換方法について説明する。ＣＰＵ１１は動画のフォーマットが所定のフォーマットであるか否かを判定する。所定のフォーマットは例えば以下の通りである。動画形式がＷＭＶ（ｗｉｎｄｏｗｓ  ｍｅｄｉａ  ｖｉｄｅｏ：登録商標）である場合、所定のフォーマットは、圧縮方式がＣＢＲであり、動画ビットレートが４Ｍｂｐｓ〜１０Ｍｂｐｓであり、フレームレートが２９．９７ｆｐｓであり、解像度が１９２０×１０８０ピクセルであり、音声がＷＭＡ又は音声無しであり、音声ビットレートが１９２ｋｂｐｓであり、周波数が４８ｋＨｚであり、再生方式がステレオであり、動画の長さが１５〜１８０秒であるフォーマットである。
【００４２】
また動画形式がＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２：登録商標）である場合、所定のフォーマットは、圧縮方式がＣＢＲであり、動画ビットレートが１０Ｍｂｐｓ〜２０Ｍｂｐｓであり、フレームレートが２９．９７ｆｐｓであり、解像度が１９２０×１０８０ピクセルであり、音声がＭＰＥＧ１Ａｕｄｉｏ  ＬａｙｅｒII又は音声無しであり、音声ビットレートが１９２ｋｂｐｓであり、周波数が４８ｋＨｚであり、再生方式がステレオであり、動画の長さが１５〜１８０秒であるフォーマットである。なお、本実施形態ではフレームレートを２９．９７ｆｐｓとしたが、事前審査の動画は２９．９７ｆｐｓより低いフレームレートであってもよい。
【００４３】
動画ＩＤ「Ｍ１」の場合、ファイル名が「ａｌ．ｗｍｖ」であり、圧縮方式がＣＢＲであり、動画ビットレートが２Ｍｂｐｓであり、フレームレートが１５ｆｐｓであり、解像度が１２８０×７２０ピクセルであり、音声がＷＭＡであり、音声ビットレートが１９２ｋｂｐｓであり、周波数が４４．１ｋＨｚであり、再生方式がステレオであり、長さが１５秒である。このため、動画ビットレート、フレームレート、解像度、周波数が所定のフォーマットではない。ＣＰＵ１１は動画ビットレートを４Ｍｂｐｓに変換し、フレームレートを２９．９７ｆｐｓに変換し、解像度を１９２０×１０８０ピクセルに変換し、周波数を４８ｋＨｚに変換する。
【００４４】
また、入力を受け付けたファイルが特殊な動画であった場合、所定のフォーマットに変換できない場合がある。この場合、ＣＰＵ１１は「申し訳ございませんが、変換できないフォーマットです」等のメッセージを通信部１６から端末装置２へ出力する。ＣＰＵ２１は通信部２６で情報処理装置１からメッセージを取得し、表示部２５に表示し、ファイルの変換はされず、審査依頼画面６に戻り待機する。
【００４５】
次にＣＰＵ１１は動画の開始及び終了付近に０．５秒のフレームを追加する。動画の開始及び終了付近とは例えば開始時から起動に要する時間を加算した時間又は終了時から軌道に要する時間を減算した時間である。例えば、ＣＰＵ１１は「ａｌ．ｗｍｖ」に開始時及び終了時のフレームに０．５秒を追加し、「ａ２．ｗｍｖ」に変換し、動画の長さを１６秒に延長する。なお、本実施形態では０．５秒のフレームを追加したが、フレームの長さは動画の起動に要する時間に応じて変化させてもよい。例えば、動画の長さが１８０秒である場合、起動に要する時間が増えるため、１秒等のフレームを追加してもよい。
【００４６】
ＣＰＵ１１は変換後動画情報ＤＢ１２２に動画ＩＤ「Ｍ１」、ファイル名「ａ２．ｗｍｖ」、圧縮方式ＣＢＲ、動画ビットレート４Ｍｂｐｓ、フレームレート２９．９７ｆｐｓ、解像度１９２０×１０８０ピクセル、音声ＷＭＡ、音声ビットレート１９２ｋｂｐｓ、周波数４８ｋＨｚ、再生方式ステレオ、長さ１６秒を記憶する。
【００４７】
なお、事前審査ではフレームの追加をせず、所定のフォーマットに変換した動画を変換後動画情報ＤＢ１２２に記憶してもよい。
【００４８】
事前審査及び本審査では動画の容量削減等の観点から取得した動画のフレームレートより低いフレームレートを設定している。ＣＰＵ１１は記憶した動画が所定のフレームレートより高いか否かを判定する。所定のフレームレートとは例えば入稿時の動画より低いフレームレートであり、１０．００ｆｐｓである。フレームレートが２９．９７ｆｐｓであり、所定のフレームレートより高いため、ＣＰＵ１１は記憶した動画が所定のフレームレートより高いと判定する。ＣＰＵ１１は記憶した動画のフレームレートを１０．００ｆｐｓに変換する。ＣＰＵ１１は変換した動画を記憶部１２に記憶する。
【００４９】
図１０は事前審査を行うための事前審査画面７を示す説明図である。事前審査画面７は上部に設けられたステータス欄７１と、中央左部に設けられた動画欄７２と、ステータス欄７１の下部に設けられた代理店欄７３と、動画欄７２の右部に設けられた長さ欄７４と、左下部に設けられたＯＫボタン７５と、ＯＫボタン７５の右部に設けられたＮＧボタン７６と、ＮＧボタン７６の下部に設けられた確認ボタン７７とを備える。ステータス欄７１は画像の審査状況を表示するための欄である。動画欄７２は動画の一シーンを表示するための欄である。代理店欄７３は代理店の名称を表示するための欄である。長さ欄７４は動画の長さを表示するための欄である。ＯＫボタン７５は事前審査の合格を受け付けるためのボタンである。ＮＧボタン７６は事前審査の失格を受け付けるためのボタンである。確認ボタン７７は審査結果ＤＢ１２４を情報処理装置１へ通信部３６から出力するためのボタンである。
【００５０】
ＣＰＵ１１は図６に示す審査結果ＤＢ１２４を参照し、動画ＩＤ「Ｍ１」に対応する審査結果が空欄であるため、ステータス欄７１に事前審査依頼中を生成する。ＣＰＵ１１は申込情報ＤＢ１２３を参照し、動画ＩＤ「Ｍ１」に対応する代理店が「Ａ広告代理店」であるため、代理店欄７３に「Ａ広告代理店様」を生成する。ＣＰＵ１１は変換後動画情報ＤＢ１２２を参照し、動画欄７２に動画ＩＤ「Ｍ１」に対応するファイル名「ａ２．ｗｍｖ」の動画の一シーンを生成する。ＣＰＵ１１は動画ＩＤ「Ｍ１」に対応する「１６秒」を長さ欄７４に生成する。ＣＰＵ１１は生成した事前審査画面７を審査用サーバ３へ通信部１６から出力する。ＣＰＵ３１は事前審査画面７を情報処理装置１から通信部３６で取得する。ＣＰＵ３１は事前審査画面７を表示部３５に表示する。
【００５１】
媒体社のユーザは別の画面で動画ＩＤ「Ｍ１」の動画を見て、審査基準に適合するか否か判断する。媒体社のユーザは審査基準に適合すると判断した場合、ＯＫボタン７５を入力する。媒体社のユーザは審査基準に適合しないと判断した場合、ＮＧボタン７６を入力する。ＣＰＵ３１は媒体社のユーザから入力部３４でＯＫボタン７５の入力を受け付けた場合、審査結果ＤＢ１２４に合格を記憶する。ＣＰＵ３１は媒体社のユーザから入力部３４でＮＧボタン７６の入力を受け付けた場合、審査結果ＤＢ１２４に失格を記憶する。本実施形態ではＣＰＵ３１は媒体社のユーザから入力部３４でＮＧボタン７６の入力を受け付けた場合を想定する。
【００５２】
ＣＰＵ３１は媒体社のユーザから入力部１４で確認ボタン７７の入力を受け付けた場合、審査結果ＤＢ１２４を情報処理装置１へ通信部３６から出力する。ＣＰＵ１１は審査結果ＤＢ１２４を通信部１６で取得し、審査結果ＤＢ１２４を通信部１６から端末装置３へ出力する。ＣＰＵ３１は審査結果ＤＢ１２４を通信部３６で情報処理装置１から取得する。ＣＰＵ３１は審査結果ＤＢ１２４を参照する。
【００５３】
図７に示すように、ＣＰＵ２１は事前審査確認画面４のＩＤ欄４１、ステータス欄４２、ファイル名欄４３、代理店名欄４４の１列に「Ｍ１」、「事前審査ＮＧ」、「a2.wmv」、「Ａ広告代理店」を表示する。
【００５４】
図１１は本審査の状況を確認するための本審査確認画面８を示す説明図である。本審査確認画面８は左上に設けられた新規入稿ボタン８１と、左部に設けられた審査ＩＤ欄８２と、審査ＩＤ欄８２の右部に設けられたステータス欄８３と、ステータス欄８３の右部に設けられたお申込み期間欄８４と、お申込み期間欄８４の右部に設けられた枠数欄８５と、枠数欄８５の右部に設けられた広告主名欄８６と、広告主名欄８６の右部に設けられた広告内容欄８７と、広告内容欄８７の右部に設けられた代理店名欄８８とを備える。
【００５５】
新規入稿ボタン８１は後述する申込画面９に遷移するためのボタンである。審査ＩＤ欄８２は審査ＩＤを表示するための欄である。ステータス欄８３は本審査の審査状況を表示するための欄である。お申込み期間欄８４は広告の配信期間を表示するための欄である。枠数欄８５は広告枠の数を表示するための欄である。広告主名欄８６は広告主の名称を表示するための欄である。広告内容欄８７は広告の内容を表示するための欄である。代理店名欄８８は代理店の名称を表示するための欄である。
【００５６】
ＣＰＵ１１は図５に示す審査結果ＤＢ１２５を参照する。ＣＰＵ１１は例えば審査ＩＤ欄８２の３列に審査ＩＤ「Ｄ３」を生成する。申込情報ＤＢ１２３の審査結果列の３列が合格であるため、ＣＰＵ１１はステータス欄４２の３列に「審査ＯＫ」を生成する。
【００５７】
ＣＰＵ１１は申込情報ＤＢ１２３を参照する。ＣＰＵ１１はお申込み期間欄８４の３列に審査ＩＤ「Ｄ３」に対応するお申込み期間を生成する。ＣＰＵ１１は枠数欄８５の３列に審査ＩＤ「Ｄ３」に対応する枠数「１２」を生成する。ＣＰＵ１１は広告主名欄８６の３列に広告主「ＯＯＯ化粧品」を生成する。ＣＰＵ１１は広告内容欄８７の３列に「新商品の発表キャンペーン」を生成する。代理店名欄８８の３列に審査ＩＤ「Ｄ３」に対応する「Ｃ広告代理店」を生成する。ＣＰＵ１１は他の行も同様に生成する。ＣＰＵ１１は生成した本審査確認画面８を通信部１６で端末装置３へ出力する。ＣＰＵ２１は本審査確認画面８を通信部２６で情報処理装置１から取得し、表示部２５に表示する。
【００５８】
ユーザが新規入稿ボタン８１を入力部２４で選択した場合、ＣＰＵ２１は申込画面９の生成指示を情報処理装置１へ通信部２６で出力する。ＣＰＵ１１は生成した申込画面９を通信部１６で端末装置２へ出力する。ＣＰＵ２１は申込画面９を通信部２６で情報処理装置１から取得し、表示部２５に表示する。
【００５９】
図１２は本審査への申し込みを受け付ける申込画面９を示す説明図である。申込画面９は左部に設けられた入稿ボタン欄９０と、入稿ボタン欄９０の右部に設けられた長さ欄９１と、長さ欄９１の右部に設けられた画像表示欄９２Ａ、９２Ｂ…（以下、場合により代表して画像表示欄９２とする）と、下部に設けられた確認ボタン９３とを備える。長さ欄９１は動画の長さを表示するための欄である。画像表示欄９２は入力を受け付けた画像を表示するための欄である。確認ボタン９３は画像を情報処理装置１へ出力するためのボタンである。
【００６０】
ＣＰＵ２１はユーザから入力部２４で入稿ボタン欄９０の入力を受け付けた場合、入力画面１０を表示部２５に表示する。長さ欄９１、画像表示欄９２及び確認ボタン９３の説明については後述する。
【００６１】
図１３は動画の入力を受け付けるための入力画面１０を示す説明図である。入力画面１０は、上部に設けられた代理店名欄１０１と、代理店名欄１０１の下部に設けられたお申込み期間欄１０２と、お申込み期間欄１０２の下部に設けられた枠数欄１０３と、枠数欄１０３の下部に設けられた広告主名欄１０４と、広告主名欄１０４の下部に設けられた広告内容欄１０５と、広告内容欄１０５の下部に設けられた画像入力欄１０６と、下部に設けられた選択ボタン１０７とを備える。代理店名欄１０１は代理店の名称を表示するための欄である。お申込み期間欄１０２はお申込み期間を表示するための欄である。枠数欄は広告枠の数を表示するための欄である。広告主名欄１０４は広告主の名称を表示するための欄である。広告内容欄１０５は広告の内容を表示するための欄である。画像入力欄１０６は画像の入力を受け付けるための欄である。選択ボタン１０７は画像の選択を受け付けるための欄である。
【００６２】
ＣＰＵ１１は申込情報ＤＢ１２３を参照し、代理店名欄１０１に「Ａ広告代理店」を生成する。ＣＰＵ１１はお申込み期間欄１０２に審査ＩＤ「Ｄ１」に対応するお申込み期間を生成する。ＣＰＵ１１は枠数欄１０３に１２枠を生成する。ＣＰＵ１１は広告主名欄１０４に広告主「○○○飲料メーカー」を生成する。ＣＰＵ１１は広告内容欄１０５に「新製品の発表キャンペーン」を生成する。
【００６３】
ＣＰＵ２１はユーザから入力部２４で選択ボタン１０７又は画像入力欄１０６に動画のファイル名「ｂ１．ｍｐｇ」の入力を受け付ける。ＣＰＵ２１は動画ＩＤ「Ｍ２」を生成する。ＣＰＵ２１は動画ＩＤ「Ｍ２」及びファイル名「ｂ１．ｍｐｇ」を情報処理装置１へ通信部３６で出力する。ＣＰＵ１１は動画ＩＤ「Ｍ２」及びファイル名「ｂ１．ｍｐｇ」を通信部１６で端末装置２から取得し、動画ＩＤ「Ｍ２」、ファイル名「ｂ１．ｍｐｇ」及び動画のフォーマットを変換前動画情報ＤＢ１２１に記憶する。ＣＰＵ２１はユーザから入力部２１で「ｃ１．ｍｐｇ」についても入力を行うが、簡潔のため記載を省略する。
【００６４】
次にＣＰＵ１１は変換前動画情報ＤＢ１２１に記憶された動画のフォーマットの変換を行う。動画のフォーマットは事前審査と同様であり、簡潔のため、記載を省略する。ＣＰＵ１１は変換した「ｂ２．ｍｐｇ」、「ｃ２．ｍｐｇ」を変換後動画情報ＤＢ１２２に記憶する。ＣＰＵ１１は動画を記憶した後、審査用サーバ３へ動画及び審査結果ＤＢ１２４を通信部１６で出力する。
【００６５】
ＣＰＵ１１は申込画面９に画像表示欄９２Ａ、９２Ｂに「動画（１）」、「動画（２）」を生成する。ＣＰＵ２１は「ｂ２．ｍｐｇ」、「ｃ２．ｍｐｇ」の動画の長さ「２０秒」、「３０秒」を足した「５０秒」を秒数欄９０に生成する。ＣＰＵ１１は生成した申込画面９を端末装置２へ通信部１６から出力する。ＣＰＵ２１は申込画面９を情報処理装置１から通信部２６で取得し、取得した申込画面９を表示部２５に表示する。ＣＰＵ２１はユーザから入力部２４で確認ボタン９３の入力を受け付けた場合、本審査確認画面８を表示部２５に表示する。
【００６６】
図１４は本審査を行うための本審査画面１７を示す説明図である。本審査画面１７は上部に設けられたステータス欄１７１と、ステータス欄１７１の下部に設けられた代理店名欄１７２と、代理店名欄１７２の下部に設けられたお申込み期間欄１７３と、お申込み期間欄１７３の下部に設けられた枠数欄１７４と、枠数欄１７４の下部に設けられた広告主名欄１７５と、広告主名欄１７５の下部に設けられた広告内容欄１７６と、下部に設けられたＯＫボタン１７Ａ、１７Ｂ、１７Ｃ…（以下、場合により代表してＯＫボタン１７７とする）と、ＯＫボタン１７７の右部に設けられたＮＧボタン１８Ａ、１８Ｂ、１８Ｃ…（以下、場合により代表してＮＧボタン１７８とする）と、ＮＧボタン１７８の下部に設けられた確認ボタン１７９とを備える。
【００６７】
ステータス欄１７１は動画の審査状況を表示するための欄である。代理店名欄１７２は代理店の名称を表示するための欄である。お申込み期間欄１７３はお申込み期間を表示するための欄である。枠数欄１７４は広告枠の数を表示するための欄である。広告主名欄１７５は広告主の名称を表示するための欄である。広告内容欄１７６は広告の内容を表示するための欄である。ＯＫボタン１７７は本審査の合格を受け付けるためのボタンである。ＮＧボタン１７８は本審査の失格を受け付けるためのボタンである。確認ボタン１７９は審査を確定するためのボタンである。
【００６８】
ＣＰＵ１１は申込情報ＤＢ１２３を参照する。ＣＰＵ１１は代理店名欄１７２にＡ広告代理店を生成する。ＣＰＵ１１はお申込み期間欄１７３に審査ＩＤ「Ｄ１」に対応するお申込み期間を生成する。ＣＰＵ１１は枠数欄１７４に審査ＩＤ「Ｄ１」に対応する枠数「１２」を生成する。ＣＰＵ１１は広告主名欄１７５に広告主「ＯＯＯ飲料メーカー」を生成する。ＣＰＵ１１は広告内容欄１７６に「新商品の発表キャンペーン」を生成する。ＣＰＵ１１は生成した本審査画面１７を通信部１６で審査用サーバ３へ出力する。ＣＰＵ３１は本審査画面１７を通信部３６で審査用サーバ３から取得し、表示部３５に表示する。
【００６９】
媒体社のユーザは情報処理装置１から出力された動画を別画面に表示して審査を行う。ＣＰＵ１１は審査結果ＤＢ１２４を参照する。ＣＰＵ３１は媒体社のユーザから入力部２４でＯＫボタン１７Ａの入力を受け付けた場合、動画ＩＤ「Ｍ２」に対応する本審査列に合格を記憶する。ＣＰＵ３１は媒体社のユーザから入力部２４でＯＫボタン１７Ｂの入力を受け付けた場合、動画ＩＤ「Ｍ３」に対応する本審査列に合格を記憶する。ＣＰＵ３１は全てのＯＫボタン１７７の入力を受け付けた場合、ステータス欄１７１に配信確認ＯＫを表示する。
【００７０】
また、ＣＰＵ３１が媒体社のユーザから入力部２４でＮＧボタン１８Ａの入力を受け付けた場合、動画ＩＤに対応する本審査列に失格を記憶する。この場合、ＣＰＵ３１は配信確認ＮＧをステータス欄１７１に表示する。本実施形態では全てのＯＫボタン１７の入力を受け付けた場合を想定する。
【００７１】
ＣＰＵ３１が媒体社のユーザから入力部２４で確認ボタン１７９の入力を受け付けた場合、審査結果ＤＢ１２４を情報処理装置１へ通信部３６から出力する。ＣＰＵ１１は審査結果ＤＢ１２４を通信部１６で取得する。ＣＰＵ１１は審査結果ＤＢ１２４を通信部１６から端末装置３へ出力する。ＣＰＵ２１は審査結果ＤＢ１２４を通信部２６で情報処理装置１から取得する。ＣＰＵ２１は審査結果ＤＢ１２４を参照し、審査ＩＤ「Ｄ１」に対応する全ての動画ＩＤ「Ｍ２」、「Ｍ３」等に対応する審査結果が全て合格であるため、本審査確認画面８のステータス欄８３の１列に「配信ＯＫ」を表示する。
【００７２】
図１５〜１７は事前審査及び本審査における情報処理システムの処理手順を示したフローチャートである。ＣＰＵ２１は登録画面５又は入力画面１０を表示する（ステップＳ１１）。ＣＰＵ２１は登録画面５又は入力画面１０で動画の入力を受け付ける（ステップＳ１２）。ＣＰＵ２１は審査依頼画面６又は申込画面９を表示する（ステップＳ１３）。ＣＰＵ２１は依頼ボタン６３又は確認ボタン９３の入力を受け付ける（ステップＳ１４）。
【００７３】
ＣＰＵ２１は受け付けた動画、動画ＩＤ等を通信部２６から情報処理装置１へ出力する（ステップＳ１５）。ＣＰＵ１１は動画、動画ＩＤ等を通信部１６で端末装置２から取得する（ステップＳ１６）。ＣＰＵ１１は取得した動画及び動画ＩＤ等を変更前動画情報ＤＢ１２１に記憶する（ステップＳ１７）。ＣＰＵ１１は取得した動画のフォーマットが所定のフォーマットであるか否かを判定する（ステップＳ１８）。
【００７４】
ＣＰＵ１１は取得した動画のフォーマットが所定のフォーマットであると判定した場合（ステップＳ１８：ＹＥＳ）、処理をステップＳ２０に移す。ＣＰＵ１１は取得した動画のフォーマットが所定のフォーマットでないと判定した場合（ステップＳ１８：ＮＯ）、動画のフォーマットを所定のフォーマットに変換する（ステップＳ１９）。
【００７５】
ＣＰＵ１１は動画の開始及び終了付近にフレームを追加する（ステップＳ２０）。ＣＰＵ１１はフレームを追加した動画を変更後動画情報ＤＢ１２２に記憶する（ステップＳ２１）。ＣＰＵ１１は記憶した動画のフレームレートが所定のフレームレートより高いか否かを判定する（ステップＳ２２）。ＣＰＵ１１は記憶した動画のフレームレートが所定のフレームレート以下であると判定した場合（ステップＳ２２：ＮＯ）、処理をステップＳ２４に移す。ＣＰＵ１１は記憶した動画のフレームレートが所定のフレームレートより高いと判定した場合（ステップＳ２２：ＹＥＳ）、所定のフレームレートに変換する（ステップＳ２３）。ＣＰＵ１１は変換した動画を記憶部１２に記憶する（ステップＳ２４）。
【００７６】
ＣＰＵ１１は変換した動画及び審査結果ＤＢ１２４を通信部１６から審査用サーバ３へ出力する（ステップＳ２５）。ＣＰＵ３１は動画及び審査結果ＤＢ１２４を情報処理装置１から通信部３６で取得する（ステップＳ２６）。ＣＰＵ３１は審査結果ＤＢ１２４に基づいて事前審査画面７又は本審査画面１７を表示する（ステップＳ２７）。
【００７７】
ＣＰＵ３１はＯＫボタン７５又は１０３の入力を受け付けたか否かを判定する（ステップＳ２８）。ＣＰＵ３１はＯＫボタン７５又は１０３の入力を受け付けなかったと判定した場合（ステップＳ２８：ＮＯ）、ＮＧボタン７６又は１０４の入力を受け付けたか否かを判定する（ステップＳ２９）。ＣＰＵ３１はＮＧボタン７６又は１０４の入力を受け付けなかったと判定した場合（ステップＳ２９：ＮＯ）、処理をステップＳ２５に移し、処理を繰り返す。
【００７８】
ＣＰＵ３１はＮＧボタン７６又は１０４の入力を受け付けたと判定した場合（ステップＳ２９：ＹＥＳ）、動画ＩＤに対応づけて失格を審査結果ＤＢ１２４に記憶し（ステップＳ３０）、処理をステップＳ３２に移す。ＣＰＵ３１はＯＫボタン７５又は１０３の入力を受け付けたと判定した場合（ステップＳ２８：ＹＥＳ）、動画ＩＤに対応づけて合格を審査結果ＤＢ１２４に記憶する（ステップＳ３１）。
【００７９】
ＣＰＵ３１は審査結果ＤＢ１２４を通信部３６から情報処理装置１へ出力する（ステップＳ３２）。ＣＰＵ１１は審査結果ＤＢ１２４を通信部１６で取得し、審査結果ＤＢ１２４を通信部１６から端末装置２へ出力する（ステップＳ３３）。ＣＰＵ２１は審査結果ＤＢ１２４を通信部２６で情報処理装置１から取得する（ステップＳ３４）。ＣＰＵ２１は審査結果ＤＢ１２４を参照し、事前審査確認画面４又は本審査確認画面８に審査結果を表示し（ステップＳ３５）、処理を終了する。
【００８０】
一側面によれば、人手によるフォーマットチェック及び変換が不要になるため、入稿後すぐに審査に入れる。
【００８１】
一側面によれば、配信用の動画のフレームレートより審査用の動画のフレームレートが低いため、動画の表示処理が配信用の動画に比べて軽くなる。
【００８２】
一側面によれば、審査結果及びフレームレートが低い審査用の動画を所定の期間記憶部１２に記憶するため、記憶する量が少なくて済む。
【００８３】
なお、本実施形態における図７及び図１１には複数の代理店が表示されるが、端末装置２を使用するユーザの代理店のみを表示するようにしてもよい。
【００８４】
実施の形態２
実施の形態２は静止画を動画に変換し、変換した動画を審査する実施の形態に関する。以下、特に説明する構成、作用以外の構成及び作用は実施の形態１と同等であり、簡潔のため記載を省略する。図１８は情報処理装置１、端末装置２及び審査用サーバ３のハードウェア群を示すブロック図である。情報処理装置１の記憶部１２は変換前静止画情報ＤＢ１２５及び変換後静止画情報ＤＢ１２６を記憶する。
【００８５】
図１９は変換前の静止画の情報が記憶された変換前静止画情報ＤＢ１２５に格納されているデータの一例を示す図である。変換前静止画情報ＤＢ１２５は静止画ＩＤ列、ファイル名列、ファイル形式列、サイズ列、カラーモード列、容量列及び表示秒数列を備える。静止画ＩＤ列には静止画を識別するための静止画ＩＤが記憶される。ファイル名列には静止画のファイル名が記憶される。ファイル形式列には静止画のファイル形式が記憶される。ファイル形式列には例えば、ＧＩＦ（Graphics Interchange Format：登録商標）、ＪＰＧ（Joint Photographic Experts Group）、ＢＭＰ（Microsoft Windows Bitmap Image：登録商標）等が記憶される。サイズ列には静止画のサイズが記憶される。サイズ列の単位はピクセルである。カラーモード列には静止画のカラーモードが記憶される。カラーモード列には例えば、ＣＭＹＫ（Cyan Magenta Yellow Key Plate）又はＲＧＢ（Red Green Blue）等が記憶される。容量列には静止画の容量が記憶される。容量列の単位はメガバイトである。表示秒数列には表示装置に表示する秒数が記憶される。表示秒数列の単位は秒である。なお、表示秒数は予め静止画に対応づけられている。
【００８６】
変換前静止画情報ＤＢ１２５の記憶方法は以下の通りである。ＣＰＵ２１は登録画面５又は入力画面１０で静止画の入力を受け付ける。ＣＰＵ２１は受け付けた静止画を情報処理装置１へ出力する。ＣＰＵ１１は静止画を端末装置２から取得する。ＣＰＵ１１は静止画に対応する静止画ＩＤ、ファイル名及び静止画のフォーマットを変換前動画情報ＤＢ１２１に記憶する。
【００８７】
図２０は変換後の静止画の情報が記憶された変換後静止画情報ＤＢ１２６に格納されているデータの一例を示す図である。例えば、ファイル形式列の１行目にはＪＰＧが記憶されている。これは変換前静止画情報ＤＢ１２５の１行目のＧＩＦを所定のフォーマットであるＪＰＧに変換したファイル形式である。変換後静止画情報ＤＢ１２６の記憶方法については後述する。
【００８８】
各画面の構成及び動作は動画の場合と同様であり、簡潔のため、記載を省略する。以下、静止画の変換方法について説明する。ＣＰＵ１１は静止画のフォーマットが所定のフォーマットであるか否かを判定する。所定のフォーマットは例えばファイル形式がＪＰＧ、ＢＭＰ又はＰＮＧであり、サイズが１９２０×１０８０ピクセルであり、カラーモードがＲＧＢであり、容量が１Ｍバイトであり、表示秒数が５秒、１０秒又は１５秒である。
【００８９】
静止画ＩＤ「Ｉ１」の場合、ファイル名が「ａｌ．ｇｉｆ」であり、ファイル形式がＧＩＦであり、サイズが１２８０×７２０ピクセルであり、カラーモードがＣＭＹＫであり、容量が２Ｍバイトであり、表示秒数が３秒である。このため、ファイル形式、サイズ、カラーモード及び表示秒数が所定のフォーマットではない。ＣＰＵ１１はファイル形式をＪＰＧに変換し、サイズを１９２０×１０８０ピクセルに変換し、カラーモードをＲＰＧに変換し、表示秒数を５秒に変換する。
【００９０】
ＣＰＵ１１は変換した静止画を５秒表示する動画を生成する。生成する動画のフォーマットは実施の形態１に規定する所定のフォーマットである。ＣＰＵ１１は動画の開始時と終了時のフレームに０．５秒のフレームを追加する。すなわち、ＣＰＵ１１は生成した動画を動画の開始時と終了時のフレームに０．５秒を追加した「ａ２１．ｍｐｇ」に変換し、動画の長さを６秒に延長する。
【００９１】
ＣＰＵ１１は変換後静止画情報ＤＢ１２５に静止画ＩＤ「Ｉ１」、ファイル名「ａ２１．ｍｐｇ」、ファイル形式「ＪＰＧ」、サイズ１９２０×１０８０ピクセル、カラーモードＲＰＧ、容量２Ｍバイト、表示秒数５秒を記憶する。以下、静止画ＩＤ「Ｉ２」及び「Ｉ３」についても同様であり、簡潔のため、記載を省略する。なお、本実施形態における所定のフォーマットは５秒、１０秒又は１５秒であったが、表示秒数は１秒〜１５秒であってもよい。なお、本実施形態の事前審査及び本審査のフレームレートは動画生成時に２９．９７ｆｐｓに設定される。
【００９２】
図２１は本実施形態における情報処理システムの処理手順を示したフローチャートである。ステップＳ２２〜Ｓ３５の処理は上述の実施の形態１に係る情報処理システムと同様であるので、簡潔のため説明を省略する。ＣＰＵ２１は登録画面５又は入力画面１０を表示する（ステップＳ４１）。ＣＰＵ２１は登録画面５又は入力画面１０で静止画の入力を受け付ける（ステップＳ４２）。ＣＰＵ２１は審査依頼画面６又は申込画面９を表示する（ステップＳ４３）。ＣＰＵ２１は依頼ボタン６３又は確認ボタン９３の入力を受け付ける（ステップＳ４４）。
【００９３】
ＣＰＵ２１は受け付けた静止画、静止画ＩＤ等を通信部２６から情報処理装置１へ出力する（ステップＳ４５）。ＣＰＵ１１は静止画、静止画ＩＤ等を通信部１６で端末装置２から取得する（ステップＳ４６）。ＣＰＵ１１は取得した静止画及び静止画ＩＤ等を変更前静止画情報ＤＢ１２５に記憶する（ステップＳ４７）。
【００９４】
ＣＰＵ１１は取得した静止画のフォーマットが所定のフォーマットであるか否かを判定する（ステップＳ４８）。ＣＰＵ１１は取得した静止画のフォーマットが所定のフォーマットであると判定した場合（ステップＳ４８：ＹＥＳ）、処理をステップＳ５０に移す。ＣＰＵ１１は取得した静止画のフォーマットが所定のフォーマットでないと判定した場合（ステップＳ４８：ＮＯ）、静止画のフォーマットを所定のフォーマットに変換する（ステップＳ４９）。ＣＰＵ１１は変換した静止画に基づいて動画を生成する（ステップＳ５０）。
【００９５】
ＣＰＵ１１は動画の開始及び終了付近にフレームを追加する（ステップＳ５１）。ＣＰＵ１１はフレームを追加した動画を変更後動画情報ＤＢ１２２に記憶し（ステップＳ５２）、処理をステップＳ２２に移す。
【００９６】
一側面によれば、静止画のフォーマットを変換することができる。
【００９７】
実施の形態３
実施の形態３は静止画及び動画を結合動画に変換し、変換した結合動画を審査する実施の形態に関する。結合動画とは例えば静止画及び動画を結合した動画である。以下、特に説明する構成、作用以外の構成及び作用は実施の形態１又は２と同等であり、簡潔のため記載を省略する。図２２は情報処理装置１、端末装置２及び審査用サーバ３のハードウェア群を示すブロック図である。情報処理装置１の記憶部１２は変換後静止画動画情報ＤＢ１２７及び結合動画情報ＤＢ１２８を記憶する。
【００９８】
図２３は結合動画を生成するために変換した静止画及び動画が記憶された変換後静止画動画情報ＤＢ１２７に格納されているデータの一例を示す図である。変換後静止画動画情報ＤＢ１２７は変換後静止画情報ＤＢ１２５及び変換後動画情報ＤＢ１２２にさらに位置列を備える。位置列には結合動画のテンプレート上の位置が記憶される。テンプレートとは例えば動画及び静止画の配置を示す雛型である。
【００９９】
図２４は結合動画を記憶するための結合動画情報ＤＢ１２８に格納されているデータの一例を示す図である。結合動画情報ＤＢ１２８は結合動画ＩＤ列、静止画ＩＤ列及び動画ＩＤ列を備える。結合動画ＩＤ列には結合動画を識別するための結合動画ＩＤが記憶される。静止画ＩＤ列には静止画ＩＤが記憶される。動画ＩＤ列には動画ＩＤが記憶される。テンプレート番号列にはテンプレートを識別するための番号が記憶される。ファイル名列には動画のファイル名が記憶される。結合動画の記憶方法については後述する。
【０１００】
各画面の構成及び動作は動画の場合と略同様であり、簡潔のため、記載を省略する。登録画面５にはテンプレート番号の入力を受け付ける欄がもうけられており、ＣＰＵ２１は入力部２４でユーザに対してテンプレート番号の入力を受け付けることができる。以下、静止画及び動画の変換方法について説明する。図２５は結合動画のテンプレートを説明する説明図である。結合動画には例えば３つのテンプレート７１、７２、７３が存在する。テンプレート７１は位置７１１、７１２及び７１３を備える。テンプレート７１は位置７１１の下に位置７１２を配置し、位置７１２の下に位置７１３を配置する。位置７１１のサイズは６０８×１０８０ピクセルである。位置７１２のサイズは６５６×１０８０ピクセルである。位置７１３のサイズは６５６×１０８０ピクセルである。テンプレート７１は１つの動画及び２つの静止画を位置７１１、７１２及び７１３に割り当て、割り当てた１つの動画及び２つの静止画を１５秒の１つの動画に変換ることで生成される。
【０１０１】
テンプレート７２は位置７２１及び７２２を備える。テンプレート７２は位置７２１の下に位置７２２を配置する。位置７２１のサイズは６０８×１０８０ピクセルである。位置７２２のサイズは１３１２×１０８０ピクセルである。テンプレート７２は１つの動画及び１つの静止画を位置Ｂ１及びＢ２に割り当て、割り当てた１つの動画及び静止画を１５秒の１つの動画に変換ることで生成される。
【０１０２】
テンプレート７３は位置７３１及び７３２を備える。テンプレート７３は位置７３１の下に位置７３２を配置する。位置７３１のサイズは６０８×１０８０ピクセルである。位置７３２のサイズは１３１２×１０８０ピクセルである。テンプレート７３は１つの動画及び１つの静止画を位置７３１及び７３２に割り当て、割り当てた１つの動画及び静止画を１５秒の１つの動画に変換ることで生成される。静止画及び動画のフォーマットはサイズ以外実施の形態１又は２と同様である。
【０１０３】
例えば、静止画ＩＤ「Ｉ１」を位置Ａ１に割り当て、「Ｉ２」を位置Ａ３に割り当て、動画ＩＤ「Ｍ１」を位置Ａ２に割り当て、テンプレート７１に対応するフォーマットに変換する方法は以下の通りである。静止画ＩＤ「Ｉ１」の場合、サイズが１２８０×７２０ピクセルである。このため、ＣＰＵ１１はサイズを位置７１１のサイズである６０８×１０８０ピクセルに変換し、表示秒数を１５秒に変換する。なお、サイズ及び表示秒数以外のフォーマットは実施の形態１、２と同様であり、簡潔のため記載を省略する。
【０１０４】
静止画ＩＤ「Ｉ２」の場合、サイズが１９２０×１０８０ピクセルである。このため、ＣＰＵ１１はサイズを位置７１３のサイズである６５６×１０８０ピクセルに変換し、表示秒数を１５秒に変換する。動画ＩＤ「Ｍ１」の場合、サイズが１２８０×７２０ピクセルである。このため、ＣＰＵ１１はサイズを位置７１３のサイズである６５６×１０８０ピクセルに変換する。
【０１０５】
ＣＰＵ１１は変換した静止画ＩＤ「Ｉ１」、「Ｉ２」及び動画ＩＤ「Ｍ１」を位置Ａ１、Ａ３及びＡ２に割り当て、１５秒表示する動画を生成する。ＣＰＵ１１は動画の開始時と終了時のフレームに０．５秒のフレームを追加する。すなわち、ＣＰＵ１１は生成した動画を動画の開始時と終了時のフレームに０．５秒を追加したファイル名「ａ３１．ｗｍｖ」に変換し、動画の長さを１６秒に延長する。ＣＰＵ１１は変換した静止画及び動画を変換後静止画動画情報ＤＢ１２７に記憶する。ＣＰＵ１１は結合動画ＩＤ「Ｃ１」に対応づけてファイル名「ａ３１．ｗｍｖ」、静止画ＩＤ「Ｉ１」、「Ｉ２」及び動画ＩＤ「Ｍ１」を結合動画情報ＤＢ１２８に記憶する。
【０１０６】
図２６は本実施形態における情報処理システムの処理手順を示したフローチャートである。ステップＳ２２〜Ｓ３２の処理は上述の実施の形態１に係る情報処理システムと同様であるので、簡潔のため説明を省略する。ＣＰＵ２１は登録画面５又は入力画面１０を表示する（ステップＳ６１）。ＣＰＵ２１は登録画面５又は入力画面１０で静止画、動画及びテンプレート番号の入力を受け付ける（ステップＳ６２）。ＣＰＵ２１は審査依頼画面６又は申込画面９を表示する（ステップＳ６３）。ＣＰＵ２１は依頼ボタン６３又は確認ボタン９３の入力を受け付ける（ステップＳ６４）。
【０１０７】
ＣＰＵ２１は受け付けた静止画、動画及びテンプレート番号等を通信部２６から情報処理装置１へ出力する（ステップＳ６５）。ＣＰＵ１１は静止画、動画及びテンプレート番号等を通信部１６で端末装置２からへ取得する（ステップＳ６６）。ＣＰＵ１１は取得した静止画及び動画を変更前静止画情報ＤＢ１２５に記憶する（ステップＳ６７）。
【０１０８】
ＣＰＵ１１は取得した静止画及び動画のフォーマットがテンプレート番号に対応するフォーマットであるか否かを判定する（ステップＳ６８）。ＣＰＵ１１は取得した静止画及び動画のフォーマットがテンプレート番号に対応するフォーマットであると判定した場合（ステップＳ６８：ＹＥＳ）、処理をステップＳ７０に移す。ＣＰＵ１１は取得した静止画及び動画のフォーマットがテンプレート番号に対応するフォーマットでないと判定した場合（ステップＳ６８：ＮＯ）、静止画及び動画のフォーマットを所定のフォーマットに変換する（ステップＳ６９）。ＣＰＵ１１は変換した静止画及び動画に基づいて動画を生成する（ステップＳ７０）。
【０１０９】
ＣＰＵ１１は動画の開始及び終了付近にフレームを追加する（ステップＳ７１）。ＣＰＵ１１はフレームを追加した動画を変更後静止画動画情報ＤＢ１２７及び結合動画情報ＤＢ１２８に記憶し（ステップＳ７２）、処理をステップＳ２２に移す。
【０１１０】
一側面によれば、静止画及び動画をテンプレート番号に対応する所定のフォーマットに変換することができる。このことにより、表示装置にテンプレートの動画を表示することができる。
【０１１１】
今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。また、各実施の形態は、処理内容を矛盾させない範囲で適宜組み合わせることが可能である。
【符号の説明】
【０１１２】
１  情報処理装置
１２Ｐ  プログラム
【図１】
2017151909.tif 000003
【図２】
2017151909.tif 000004
【図３】
2017151909.tif 000005
【図４】
2017151909.tif 000006
【図５】
2017151909.tif 000007
【図６】
2017151909.tif 000008
【図７】
2017151909.tif 000009
【図８】
2017151909.tif 000010
【図９】
2017151909.tif 000011
【図１０】
2017151909.tif 000012
【図１１】
2017151909.tif 000013
【図１２】
2017151909.tif 000014
【図１３】
2017151909.tif 000015
【図１４】
2017151909.tif 000016
【図１５】
2017151909.tif 000017
【図１６】
2017151909.tif 000018
【図１７】
2017151909.tif 000019
【図１８】
2017151909.tif 000020
【図１９】
2017151909.tif 000021
【図２０】
2017151909.tif 000022
【図２１】
2017151909.tif 000023
【図２２】
2017151909.tif 000024
【図２３】
2017151909.tif 000025
【図２４】
2017151909.tif 000026
【図２５】
2017151909.tif 000027
【図２６】
2017151909.tif 000028